(57)【要約】      （修正有）【課題】ソーラーエネルギーパネルの光線を受ける角度を自在に調整可能なソーラーエネルギーを利用する回動式キーボードを提供する。【解決手段】キーボード１０と、該キーボードと電気的に連接し、光エネルギーを電力に変換して前記キーボードに供給するソーラーエネルギーパネル２０と、前記キーボードと前記ソーラーエネルギーパネルとを連結する、第１ヒンジ３１と第２ヒンジ３２とを有し、前記第１ヒンジにより、前記ソーラーエネルギーパネルが第１方向に沿って、前記キーボードに対して回動可能であり、前記第２ヒンジにより、前記ソーラーエネルギーパネルが第２方向に沿って前記キーボードに対して回動可能であるヒンジユニット３０とを含む。【選択図】図２
0003165993.tif 000002
【実用新案登録請求の範囲】
【請求項１】
キーボード（１０）と、
前記キーボード（１０）と電気的に連接し、光エネルギーを電力に変換して前記キーボード（１０）に供給するソーラーエネルギーパネル（２０）と、
前記キーボード（１０）と前記ソーラーエネルギーパネル（２０）とを連結する、第１ヒンジ（３１）と第２ヒンジ（３２）とを有し、前記第１ヒンジ（３１）により、前記ソーラーエネルギーパネル（２０）が第１方向に沿って前記キーボード（１０）に対して回動可能であり、前記第２ヒンジ（３２）により、前記ソーラーエネルギーパネル（２０）が第２方向に沿って前記キーボード（１０）に対して回動可能であるヒンジユニット（３０）と、
を含むことを特徴とするソーラーエネルギーを利用する回動式キーボード。
【請求項２】
前記第１ヒンジ（３１）が前記第２ヒンジ（３２）に連接されており、前記ヒンジユニット（３０）は、前記第１ヒンジ（３１）を介して前記ソーラーエネルギーパネル（２０）と連結し、前記第２ヒンジ（３２）を介して前記キーボード（１０）と連結することを特徴とする、請求項１に記載のソーラーエネルギーを利用する回動式キーボード。
【請求項３】
前記キーボード（１０）は無線キーボードであることを特徴とする、請求項１に記載のソーラーエネルギーを利用する回動式キーボード。
【考案の詳細な説明】
【技術分野】
【０００１】
本考案は、ソーラーエネルギーパネルの光線を受ける角度を自在に調整可能なソーラーエネルギーを利用する回動式キーボードに関するものである。
【背景技術】
【０００２】
科学技術の進展によって生活レベルが向上する一方、地球の自然資源の消費が加速されており、そして地球環境の汚染も益々酷くなる。このような問題を解決するために、グリーンエネルギーを利用することが益々重要になる。グリーンエネルギーとは、例えばソーラーエネルギー、水力エネルギー、風力エネルギーや潮力エネルギーなどの地球環境に優しいエネルギーである。現在、脚光を浴びているグリーンエネルギーはソーラーエネルギーであり、ソーラーエネルギーの技術の発展により、ソーラーエネルギーの適用可能な分野はさらに広がってきている。
【０００３】
例えば、特許文献１の台湾特許第５１０５３７号に「無線キーボード」が提案された。このような無線キーボードは、多数のキー及びトラックボールが配されるキーボードのベースの内部には、キーボードの操作信号を処理するＣＰＵと、システムの所要の電源を供給する一組の電源と、ＩＲ伝送及び／又はＲＦ伝送によりキーボードとコンピュータのホストとを交信する伝送器と、から構成される無線信号制御装置が設けられ、前記無線信号制御装置によりキーボードの操作信号がコンピュータのホストに伝送される。このようなキーボードは、無線（ＷＩＲＥＬＥＳＳ）方式でコンピュータを制御し、更に、一組の太陽電池を有し、前記キーボードが待機モードにあるときには、前記太陽電池からの微量な電源が前記キーボードに供給され、これにより、前記キーボード内に組み付けられる電池の利用可能な時間を延ばすことができる。
【０００４】
前記太陽電池は、キーボードに配される集光板により外部の光線を利用するが、前記集光板の位置及び角度が調整できないため、外部の光線の入射角度が適正ではない場合、光線のエネルギーを電力に有効に変換できない問題があった。この問題を解決するために、特許文献２の中国特許出願公開２００９９００５９号の「太陽電池付きキーボード」が提案された。前記太陽電池付きキーボードは、キーボード本体と、連接手段と、前記連接手段を介して前記キーボード本体に取付けられる一組の太陽電池と、を含み、前記連接手段は、更に、連接子と、前記連接子に嵌め設けられるバネと、前記連接子に嵌め設けられ前記バネの両端にそれぞれ当接する一対の第１ギアと、前記連接子に嵌め設けられ前記第１ギアと噛合う一対の第２ギアと、を含む。このような構成によれば、前記太陽電池組は前記連接手段を巡ることができる。
【０００５】
しかし、上記太陽電池付きキーボードによれば、前記太陽電池組の角度は、単一の方向にのみ調整可能であり、外部の光線に応じて自在に調整することができないため、光線のエネルギーを電力に有効に変換できず、更に、キーボードの位置を調整しないと、外部の光線を集光できないことがあるため、その使用が極めて不便であった。
【先行技術文献】
【特許文献】
【０００６】
【特許文献１】台湾特許第５１０５３７号
【特許文献２】中国特許出願公開２００９９００５９号
【考案の概要】
【考案が解決しようとする課題】
【０００７】
本考案の主な目的は、ソーラーエネルギーパネルの光線を受ける角度を自在に調整可能なソーラーエネルギーを利用する回動式キーボードを提供することにある。
【課題を解決するための手段】
【０００８】
本考案のソーラーエネルギーを利用する回動式キーボードは、キーボードと、前記キーボードと電気的に連接し、光エネルギーを電力に変換して前記キーボードに供給するソーラーエネルギーパネルと、前記キーボードと前記ソーラーエネルギーパネルとを連結する、第１ヒンジと第２ヒンジとを有し、前記第１ヒンジにより、前記ソーラーエネルギーパネルが第１方向に沿って前記キーボードに対して回動可能であり、前記第２ヒンジにより、前記ソーラーエネルギーパネルが第２方向に沿って前記キーボードに対して回動可能であるヒンジユニットと、を含むことを特徴とする。
【０００９】
本考案のソーラーエネルギーを利用する回動式キーボードは、前記第１ヒンジが前記第２ヒンジに連接されており、前記ヒンジユニットは、前記第１ヒンジを介して前記ソーラーエネルギーパネルと連結し、前記第２ヒンジを介して前記キーボードと連結することを特徴とする。
【００１０】
本考案のソーラーエネルギーを利用する回動式キーボードは、前記キーボードは無線キーボードであることを特徴とする。
【考案の効果】
【００１１】
本考案のソーラーエネルギーを利用する回動式キーボードは、ソーラーエネルギーパネルの光線を受ける角度を自在に調整することができるという効果を有する。
【図面の簡単な説明】
【００１２】
【図１】本考案においてソーラーエネルギーパネルが閉じた状態を示す斜視図である。
【図２】本考案においてソーラーエネルギーパネルが開いた状態を示す斜視図である。
【図３】本考案においてソーラーエネルギーパネルが第１方向へ回動する状態を示す斜視図である。
【図４】本考案においてソーラーエネルギーパネルが第２方向へ回動する状態の示す斜視図である。
【図５】本考案においてソーラーエネルギーパネルの集光部を反転させ閉じた状態を示す斜視図である。
【考案を実施するための形態】
【００１３】
以下、本考案の実施の形態を図面に基づいて説明する。
【００１４】
まず、図１乃至図３を参照して、本考案の一実施形態であるソーラーエネルギーを利用する回動式キーボードは、キーボード１０と、キーボード１０と電気的に連接するソーラーエネルギーパネル２０と、を含む。キーボード１０は無線キーボードである。ソーラーエネルギーパネル２０には、外部の光線のエネルギーを吸収する集光部２１が設けられる。ソーラーエネルギーパネル２０により光エネルギーが電力に変換されてキーボード１０に供給される。図２に示すように、キーボード１０とソーラーエネルギーパネル２０との間にヒンジユニット３０が配される。ヒンジユニット３０はキーボード１０とソーラーエネルギーパネル２０とを回動自在に接続するものであり、ヒンジユニット３０によりキーボード１０に対してソーラーエネルギーパネル２０を回動することができ、これにより、ソーラーエネルギーパネル２０の光線を受ける角度を自在に調整することができる。ヒンジユニット３０は、キーボード１０とソーラーエネルギーパネル２０とを連結する、第１ヒンジ３１と第２ヒンジ３２とを有し、第１ヒンジ３１により、図３に示すように、ソーラーエネルギーパネル２０が第１方向に沿ってキーボード１０に対して回動可能であり、第２ヒンジ３２により、図４に示すように、ソーラーエネルギーパネル２０が第２方向に沿ってキーボード１０に対して回動可能である。そして、第１ヒンジ３１がソーラーエネルギーパネル２０に連結され、第２ヒンジ３２がキーボード１０に連結される。
【００１５】
キーボード１０を使用しないときには、図１に示すように、ソーラーエネルギーパネル２０の集光部２１をキーボード１０に対向するように、キーボード１０にソーラーエネルギーパネル２０を閉じる。また、キーボード１０を使用するときには、図３に示すように、第１ヒンジ３１によりソーラーエネルギーパネル２０を第１方向に沿ってキーボード１０に対して回動する。そうすると、ユーザがキーボード１０を操作すると同時に、ソーラーエネルギーパネル２０の集光部２１が外部の光線を吸収してキーボード１０の操作電力に変換する。光源がキーボード１０の前又は後ろに位置する場合には、ソーラーエネルギーパネル２０の集光部２１が最大の集光量を得ることができるように、第１ヒンジ３１によりソーラーエネルギーパネル２０を第１方向に沿ってキーボード１０に対して回動させて、ソーラーエネルギーパネル２０とキーボード１０との開角を適当に調整することができる。
【００１６】
また、光源がキーボード１０の左又は右に位置する場合には、図４に示すように、第１ヒンジ３１によりソーラーエネルギーパネル２０を第１方向に沿ってキーボード１０に対して回動した後、第２ヒンジ３２により、ソーラーエネルギーパネル２０を第２方向に沿ってキーボード１０に対して回動させる。これにより、キーボード１０の左又は右に位置する光源にソーラーエネルギーパネル２０の集光部２１を向かせることができる。そうすると、第１ヒンジ３１と第２ヒンジ３２とにより、ソーラーエネルギーパネル２０の集光部２１の光線を受ける角度を自在に調整することができ、最大の集光量を得ることができる。また、図５に示すように、キーボード１０を使用した後、ソーラーエネルギーパネル２０を、そのままの姿勢から、第２ヒンジ３２により第２方向に沿ってキーボード１０に対して回動して、第１ヒンジ３１により第１方向に沿ってキーボード１０に対して回動すると、ソーラーエネルギーパネル２０の集光部２１が閉じた状態において、上に向くように反転させる。そうすると、キーボード１０を使用しないときにも、ソーラーエネルギーパネル２０が光エネルギーを電力に変換し続ける。
【００１７】
上記の説明から明らかなように、本考案のソーラーエネルギーを利用する回動式キーボードによれば、キーボード１０とソーラーエネルギーパネル２０との間にヒンジユニット３０が設けられ、ヒンジユニット３０は、キーボード１０とソーラーエネルギーパネル２０とを連結する、第１ヒンジ３１と第２ヒンジ３２とを有し、第１ヒンジ３１により、ソーラーエネルギーパネル２０が第１方向に沿ってキーボード１０に対して回動可能である。第２ヒンジ３２により、ソーラーエネルギーパネル２０が第２方向に沿ってキーボード１０に対して回動可能であり、そうすると、第１ヒンジ３１と第２ヒンジ３２とにより、ソーラーエネルギーパネル２０の集光部２１の光線を受ける角度を自在に調整することができ、最大の集光量を得ることができる。これにより得られる電力を増加させることができる。
【００１８】
このように、本考案が、特定の例を参照して説明したが、それらの例は、説明のためだけのものであり、本考案を限定するものではなく、この分野に通常の知識を有する者には、本考案の要旨及び実用新案登録請求の範囲を逸脱することなく、ここで開示された実施例に変更、追加、又は、削除を施してもよいことがわかる。
【産業上の利用可能性】
【００１９】
本考案は、キーボードに適用することができる。
【符号の説明】
【００２０】
１０  キーボード
２０  ソーラーエネルギーパネル
２１  集光部
３０  ヒンジユニット
３１  第１ヒンジ
３２  第２ヒンジ
【図１】
0003165993.tif 000003
【図２】
0003165993.tif 000004
【図３】
0003165993.tif 000005
【図４】
0003165993.tif 000006
【図５】
0003165993.tif 000007
【手続補正書】
【提出日】平成22年12月8日(2010.12.8)
【手続補正１】
【補正対象書類名】実用新案登録請求の範囲
【補正対象項目名】全文
【補正方法】変更
【補正の内容】
【実用新案登録請求の範囲】
【請求項１】
キーボード（１０）と、
前記キーボード（１０）と電気的に連接し、光エネルギーを電力に変換して前記キーボード（１０）に供給するソーラーエネルギーパネル（２０）と、
前記キーボード（１０）と前記ソーラーエネルギーパネル（２０）とを連結する、第１ヒンジ（３１）と第２ヒンジ（３２）とを有し、前記第１ヒンジ（３１）により、前記ソーラーエネルギーパネル（２０）が第１方向に沿って前記キーボード（１０）に対して回動可能であり、前記第２ヒンジ（３２）により、前記ソーラーエネルギーパネル（２０）が第２方向に沿って前記キーボード（１０）に対して回動可能であるヒンジユニット（３０）とを含み、
前記第１ヒンジ（３１）が前記第２ヒンジ（３２）に連接されており、前記ヒンジユニット（３０）は、前記第１ヒンジ（３１）を介して前記ソーラーエネルギーパネル（２０）と連結し、前記第２ヒンジ（３２）を介して前記キーボード（１０）と連結することを特徴とするソーラーエネルギーを利用する回動式キーボード。
【請求項２】
前記キーボード（１０）は無線キーボードであることを特徴とする、請求項１に記載のソーラーエネルギーを利用する回動式キーボード。